(57)【特許請求の範囲】
【請求項１】
潤滑材料を含む剃毛補助部材（２２）であって、前記潤滑材料が、
ａ．前記潤滑材料の５０重量％〜９５重量％の、１００，０００〜６，０００，０００の平均分子量を有する水溶性ポリマーと、
ｂ．前記潤滑材料の５重量％〜１０重量％の、ポリエチレンオキシドとポリプロピレンオキシドとのコポリマーであって、１２，０００〜１３，０００の範囲の平均分子量および１８〜２３の親水性親油性バランス（ＨＬＢ）を有するコポリマーと、を含む、剃毛補助部材。
【請求項２】
前記ポリエチレンオキシドとポリプロピレンオキシドとのコポリマーが、ブロックコポリマーである、請求項１に記載の剃毛補助部材。
【請求項３】
前記ポリエチレンオキシドとポリプロピレンオキシドとのコポリマーが、トリブロックコポリマーである、請求項１に記載の剃毛補助部材。
【請求項４】
前記ポリエチレンオキシドとポリプロピレンオキシドとのコポリマーが、ポリエチレンオキシド−ポリプロピレンオキシド−ポリエチレンオキシドのシーケンスを有するトリブロックコポリマーである、請求項１に記載の剃毛補助部材。
【請求項５】
前記ポリエチレンオキシドとポリプロピレンオキシドとのコポリマーにおける、プロピレンオキシド繰返し単位に対するエチレンオキシド繰返し単位の重量比が、１０：１〜１：１０の範囲内である、請求項２〜４のいずれか一項に記載の剃毛補助部材。
【請求項６】
前記ポリエチレンオキシドとポリプロピレンオキシドとのコポリマーにおける、プロピレンオキシド繰返し単位に対するエチレンオキシド繰返し単位の重量比が、１：１〜１：７の範囲内である、請求項２〜４のいずれか一項に記載の剃毛補助部材。
【請求項７】
前記ポリエチレンオキシドとポリプロピレンオキシドとのコポリマーにおける、プロピレンオキシド繰返し単位に対するエチレンオキシド繰返し単位の重量比が、１：２．５〜１：３の範囲内である、請求項２〜４のいずれか一項に記載の剃毛補助部材。
【請求項８】
前記水溶性ポリマーが、ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物から選択される、請求項１〜７のいずれか一項に記載の剃毛補助部材。
【請求項９】
前記水溶性ポリマーが、ポリエチレンオキシドである、請求項１〜８のいずれか一項に記載の剃毛補助部材。
【請求項１０】
前記水溶性ポリマーが、３００，０００〜５００万の平均分子量を有する、請求項１〜９のいずれか一項に記載の剃毛補助部材。
【請求項１１】
前記水溶性ポリマーが、前記潤滑材料の７０重量％〜９０重量％の濃度（ｌｅｖｅｌ）で存在する、請求項１〜１０のいずれか一項に記載の剃毛補助部材。
【請求項１２】
前記剃毛補助部材が、非水溶性ポリマーを更に含む、請求項１〜１１のいずれか一項に記載の剃毛補助部材。
【請求項１３】
前記非水溶性ポリマーが、ポリエチレン、ポリプロピレン、ポリスチレン、耐衝撃性ポリスチレン、ブタジエンスチレンコポリマー、ポリアセタール、アクリロニトリル−ブタジエンスチレンコポリマー、エチレン酢酸ビニルコポリマー、及びこれらの混合物から選択される、請求項１２に記載の剃毛補助部材。
【請求項１４】
前記非水溶性ポリマーが、前記剃毛補助部材の５重量％〜４０重量％の濃度で存在する、請求項１２又は１３に記載の剃毛補助部材。
【請求項１５】
除毛カートリッジであって、
ａ．ハウジングと、
ｂ．前記ハウジング内の少なくとも１つの除毛部材と、
ｃ．請求項１〜１４のいずれか一項に記載の少なくとも１つの剃毛補助部材と、を含む、除毛カートリッジ。
【請求項１６】
除毛装置であって、
ａ．請求項１５に記載のカートリッジと、
ｂ．前記カートリッジに永久的に又は着脱可能に取り付けられるハンドルと、を含む、除毛装置。
【請求項１７】
剃毛補助部材を作製する方法であって、
ａ．供給物を提供する工程であって、前記供給物が、
ｉ．前記供給物の５０重量％〜９５重量％の、１００，０００〜６，０００，０００の平均分子量を有する水溶性ポリマーと、
ｉｉ．前記供給物の５重量％〜１０重量％の、ポリエチレンオキシドとポリプロピレンオキシドとのコポリマーであって、１２，０００〜１３，０００の範囲の平均分子量および１８〜２３の親水性親油性バランス（ＨＬＢ）を有するコポリマーと、を含む、工程と、
ｂ．前記供給物を、成形、プレス、含浸、スプレーコーティング、カレンダー処理、及び／又は押出成形して、剃毛補助部材を形成する工程と、を含む、方法。
【請求項１８】
工程ａと工程ｂの間に、前記供給物を、１２０℃〜２００℃の温度に加熱する工程を更に含む、請求項１７に記載の方法。
【発明の詳細な説明】
【技術分野】
【０００１】
本発明は、剃毛補助部材に関し、特に除毛カートリッジ又は除毛装置での使用のための剃毛補助部材、カートリッジ又は装置自体、及びこれらを作製する方法に関する。
【背景技術】
【０００２】
剃毛中に潤滑効果を提供するためにかみそりブレードに剃毛補助剤を使用することは、既知である。例えば、米国特許第７，１２１，７５４号、同第６，２９８，５５８号、同第５，７１１，０７６号、同第５，１３４，７７５号、同第６，３０１，７８５号、及び米国特許公開第２００９／０２２３０５７号、同第２００６／０２２５２８５号を参照のこと。かかる剃毛補助剤は、典型的には、構造的な完全性を提供するための非水溶性のマトリクス材料と、剃毛中に存在する水溶液中に水溶性ポリマーが入ると剃毛中に潤滑を提供するために、ポリエチレンオキシド（Polyox）などの水溶性ポリマーと、を含む。剃毛潤滑剤としてのＰｏｌｙｏｘの適用は、現状ではあまり開発がなされていないが、Ｐｏｌｙｏｘの適用に制限がないわけではない。例えば、低分子量のＰｏｌｙｏｘの使用は、限られた潤滑しか提供しないが、一方で、より分子量が高いＰｏｌｙｏｘを使用する場合、潤滑の改善が見られる場合があり、これは典型的には使用する際に形成される他の水溶液の態様にも影響を与え、例えば、結果として得られる水溶液の粘度が増加する場合もあり、否定的な知覚特性に繋がる場合があり、例えば、特に潤滑剤に関して、ユーザにとっての剃毛の感触が懸念される。したがって、理想的には消費者の知覚に悪影響を与えずに、潤滑効果の改善を提供するために、このパラダイムを打ち破ることができる技術に対する必要性が今も存在する。
【先行技術文献】
【特許文献】
【０００３】
【特許文献１】米国特許第７，１２１，７５４号
【特許文献２】米国特許第６，２９８，５５８号
【特許文献３】米国特許第５，７１１，０７６号
【特許文献４】米国特許第５，１３４，７７５号
【特許文献５】米国特許第６，３０１，７８５号
【特許文献６】米国特許公開第２００９／０２２３０５７号
【特許文献７】米国特許公開第２００６／０２２５２８５号
【発明の概要】
【課題を解決するための手段】
【０００４】
本発明の一態様は、潤滑材料を含む剃毛補助部材に関し、潤滑材料は、少なくとも５，０００の平均分子量を有する水溶性ポリマーと、ポリエチレンオキシドとポリプロピレンオキシドとのコポリマーとを含む。本発明の更なる態様は、上述の剃毛補助部材を備えるかみそりカートリッジに関する。本発明の別の態様は、上述の剃毛補助部材を備える剃毛装置に関する。本発明の別の更なる態様は、ポリエチレンオキシドとポリプロピレンオキシドとのコポリマーを含む剃毛補助部材の作製方法に関する。
【図面の簡単な説明】
【０００５】
【図１】本発明の剃毛補助部材を含むかみそりカートリッジの斜視図である。
【図２】図１の線２−２に沿った断面図である。
【図３】本発明の剃毛補助部材の第２型の側面図である。
【発明を実施するための形態】
【０００６】
Ｉ．潤滑材料
剃毛補助部材（又は皮膚係合剃毛補助部材）は、水溶性ポリマーを含む潤滑剤、又は潤滑材料を含み、これは、典型的には、使用する際に潤滑を提供することを意図し、少なくとも５０００の平均分子量を有する、潤滑材料は、様々な形とすることができるだけでなく、以下に詳細に記載するように、それらの混合物／組み合わせとすることもできる。
【０００７】
水溶性ポリマーの例としては、ポリエチレンオキシド、ポリビニルピロリドン、ポリアクリルアミド、ポリヒドロキシメタクリレート、ポリビニルイミダゾリン、ポリエチレングリコール、ポリビニルアルコール、ポリヒドロキシエチルメタクリレート、シリコーンポリマー、及びこれらの混合物が挙げられる。いくつかの実施形態では、前記水溶性ポリマーは、ポリエチレンオキシド、ポリエチレングリコール、及びこれらの混合物からなる群から選択される。
【０００８】
水溶性ポリマーは、好ましくは、剃毛補助部材の少なくとも約５０重量％、より好ましくは少なくとも約６０重量％、最大約９９重量％（又は潤滑材料の最大約９０重量％）含まれることになる。例えば、水溶性ポリマーは、潤滑材料の少なくとも約５０重量％、好ましくは約５０重量％〜約９９．９重量％、より好ましくは約６０重量％〜約９５重量％（例えば、約９０重量％〜約９５重量％）、更により好ましくは約７０重量％〜約９０重量％の量で存在する場合がある。すべての水溶性ポリマーが平均分子量の要件を満たす必要はなく、例えば、少なくとも１つの、しかしすべてより少ない数のポリエチレンオキシドのグレードは、平均分子量特性を満たすが、ポリエチレンオキシドの総量が上記の範囲の１つの中にある、２つ以上のグレードのポリエチレンオキシドのブレンドを使用する可能性がある。代替的には、水溶性のポリマー（特にポリエチレンオキシド）の全体に対する平均分子量は、所望の平均分子量の範囲内に含まれる場合があり、並びに水溶性ポリマー（特にポリエチレンオキシド）の総量は、上記の範囲の１つ以上に従う。
【０００９】
より好ましい水溶性ポリマーは、ＰＯＬＹＯＸ（Ｕｎｉｏｎ  Ｃａｒｂｉｄｅ  Ｃｏｒｐｏｒａｔｉｏｎから入手可能）又はＡＬＫＯＸ（明成化学工業株式会社（日本、京都）から入手可能）として一般的に既知のポリエチレンオキシドである。水溶性ポリマー（特にこれらのポリエチレンオキシド）は、好ましくは、少なくとも約２０，０００、少なくとも約５０，０００、少なくとも約１００，０００、又は約１００，０００〜６００万、好ましくは約３００，０００〜５００万の平均分子量を有する。特に好ましいポリエチレンオキシドは、約４０％〜８０％の、約５百万の平均分子量を有するポリエチレンオキシド（例えば、ＰＯＬＹＯＸ  ＣＯＡＧＵＬＡＮＴ）と、約６０％〜２０％の、約３００，０００の平均分子量を有するポリエチレンオキシド（例えば、ＰＯＬＹＯＸ  ＷＳＲ−Ｎ−７５０）とのブレンドを含む。また、ポリエチレンオキシドブレンドは、有利にも、最大約１０重量％（例えば約５重量％）の、ＰＥＧ−１００などの低分子量（すなわち、分子量＜１０，０００）ポリエチレングリコールも含有する場合がある。
【００１０】
ＩＩ．ポリエチレンオキシドとポリプロピレンオキシドとのコポリマー
剃毛補助部材は、剃毛補助部材の潤滑特性を改善するために、ポリエチレンオキシド（ＰＥＯ）とポリプロピレンオキシド（ＰＰＯ）とのコポリマーを更に含む。このＰＥＯ／ＰＰＯコポリマーは、任意の平均分子量を有する場合がある。有利にも、ＰＥＯ／ＰＰＯコポリマーは、少なくとも５，０００、好ましくは１０，０００〜２０，０００、より好ましくは１１，０００〜１５，０００、更により好ましくは１２，０００〜１３，０００、なお更により好ましくは１２，２５０〜１２，７５０の範囲の平均分子量を有する。理論に束縛されるものではないが、十分な分子量のＰＥＯ／ＰＰＯコポリマーの含有は、水溶液中の水溶性ポリマーの潤滑特性、特にポリエチレンオキシドに対する潤滑特性を更に改善し、ひいては使用する際の望ましくない感覚を防ぐと考えられる。
【００１１】
ＰＥＯ／ＰＰＯコポリマーは、任意の配設としてもよいが、例えば、ジブロックコポリマー、トリブロックコポリマー、マルチブロックコポリマー、ラジアルブロックコポリマー、又はランダムブロックコポリマーなどの、ブロックコポリマーとするのが有利である。好ましくは、ＰＥＯ／ＰＰＯコポリマーは、トリブロックコポリマー、より好ましくは、ＰＥＯ−ＰＰＯ−ＰＥＯのシーケンスを有するトリブロックコポリマーである。かかるＰＥＯとＰＰＯとのトリブロックコポリマーは、ＢＡＳＦからＰｌｕｒａｃａｒｅという商品名で、Ｓｉｇｍａ−ＡｌｄｒｉｃｈからＰｌｕｒｏｎｉｃという商品名で市販されている。
【００１２】
ＰＥＯ／ＰＰＯコポリマーは、例えば、１０００：１〜１：１０００、又は１００：１〜１：１００の範囲のＰＥＯ対ＰＰＯの（すなわち、エチレンオキシド繰り返し単位対プロピレンオキシド繰り返し単位の）任意の重量比を有する場合がある。有利にも、重量比は水溶性ポリマー（特にポリエチレンオキシド）と水を含む系内でのＰＥＯ／ＰＰＯコポリマーの溶解性特性を改善するように選択され、１０：１〜１：１０、好ましくは、１：１〜１：７（又は、ＰＰＯの重量がＰＥＯの重量以上である任意の比）、より好ましくは、１：２〜１：５、更により好ましくは、１：２．５〜１：４、なお更により好ましくは、１：２．５〜１：３である場合がある。
【００１３】
ＰＥＯ／ＰＰＯコポリマーの溶解性特性を記載する代替的な方法は、周知の親水性親油性バランス（ＨＬＢ）による。ＰＥＯ／ＰＰＯコポリマーは、０〜５０のＨＬＢを有する場合があるが、有利には１〜３０、好ましくは、５〜２５、より好ましくは、１０〜２５、更により好ましくは、１７〜２４、なお更により好ましくは、１８〜２３の範囲のＨＬＢを有すことになる。
【００１４】
ＰＥＯ／ＰＰＯコポリマーは、典型的には、潤滑材料の、又は剃毛補助部材の０．０１重量％〜５０重量％の量で存在する。好ましくは、ＰＥＯ／ＰＰＯコポリマーは、水溶性ポリマーに関連する問題に対処するために、潤滑を提供する水溶性ポリマーとＰＥＯ／ＰＰＯコポリマーとの間のバランスの改善を提供するように、潤滑材料の、又は剃毛補助部材の０．０１重量％〜５０重量％、好ましくは、２重量％〜４０重量％、より好ましくは、３重量％〜２５重量％、更により好ましくは、４重量％〜２０重量％、なお更により好ましくは、５重量％〜１０重量％の量で存在する。
【００１５】
ＩＩＩ．非水溶性ポリマー
剃毛補助部材は、例えば、水溶性ポリマーがその中に分散されている、非水溶性ポリマーを更に備えることができ、これは、非水溶性マトリクスと称される場合がある。好ましくは、非水溶性ポリマーは、剃毛補助部材の約０重量％〜約５０重量％、より好ましくは約５重量％〜約４０重量％、更により好ましくは約１５重量％〜約３５重量％の濃度で存在する。使用することができる好適な非水溶性ポリマーとしては、ポリエチレン（ＰＥ）、ポリプロピレン、ポリスチレン（ＰＳ）、ブタジエン−スチレンコポリマー（例えば、中及び高耐衝撃性ポリスチレン）、ポリアセタール、アクリロニトリル−ブタジエン−スチレンコポリマー、エチレン酢酸ビニルコポリマー、ポリウレタン、並びにこれらのブレンド（ポリプロピレン／ポリスチレンのブレンド、又はポリスチレン／耐衝撃性ポリスチレンのブレンドなどの）が挙げられる。
【００１６】
１つの好ましい非水溶性ポリマーは、ポリスチレン、好ましくはＮＯＶＡ  Ｃ２３４５Ａなどの汎用ポリスチレン、又はＢＡＳＦ  ４９５Ｆ  ＫＧ２１などの高耐衝撃性ポリスチレン（ＨＩＰＳ）（すなわち、ポリスチレン−ブタジエン）である。ストリップ又は任意の部分は、生産中及び使用中の双方において、適切な機械的強度を提供するために、十分な量で非水溶性ポリマーを含有する必要がある。いくつかの実施形態では、剃毛補助部材は、Ｇｉｌｌｅｔｔｅ、Ｓｃｈｉｃｋ、又はＢＩＣによるかみそりカートリッジに使用されているものなどの、市販の剃毛補助部材に一般的に見出される任意の他の成分を含む。かかる剃毛補助部材の非限定的な例としては、米国特許第６３０１７８５号、同第６４４２８３９号、同第６２９８５５８号、同第６３０２７８５号、及び米国特許出願公開２００８／０６０２０１号、及び同第２００９／０２２３０５７号で開示されたものが挙げられる。
【００１７】
ＩＶ．更なる任意成分
剃毛補助部材又は潤滑材料は、低分子量の水溶性離形性向上剤（ポリエチレングリコール（分子量＜１０，０００、例えば、１〜１０重量％ＰＥＧ−１００）などの）、水膨潤性離形性向上剤（架橋ポリアクリル系のもの（例えば、２〜７重量％）などの）、着色剤、スキンケア活性剤、界面活性剤、石鹸（インタラプテッドソープ（interrupted soap）を含む）、抗酸化剤、防腐剤、皮膚軟化剤、脂質、オイル、ワックス、脂肪、冷却剤（特に、不揮発性冷却剤）、精油、顎鬚軟化剤、収斂剤、薬剤、可塑剤、追加の潤滑剤、脱毛剤／角質溶解物質、粘着付与剤、皮膚鎮静剤、香料、相溶化剤、抗炎症剤、抗掻痒／反対刺激物質などの他の従来の剃毛補助部材成分を含む場合がある。
【００１８】
着色剤を含有する部分を、着色剤を放出する（例えば、浸出又は摩耗によって）ように設計することができ、それによって、剃毛中、好ましくは着色部分の摩耗に対応してストリップを変色させるようにして、剃毛補助部材及び／又はかみそりカートリッジが有効期間又は最適性能の終了に達したことの指標を使用者に提供する。その部分は、例えば、約０．１重量％〜約５．０重量％（好ましくは約０．５重量％〜３重量％）の着色剤を含有してもよい。
【００１９】
いくつかの実施形態では、潤滑材料は、約０．５％〜約５０％、好ましくは約１％〜約２０％のポリカプロラクトン（好ましくは分子量が３０，０００〜６０，０００）を更に含む。米国特許第６，３０２，７８５号を参照のこと。
【００２０】
いくつかの実施形態では、剃毛補助部材は、例えば、ポリビニルピロリドン、ポリアクリルアミド、ヒドロキシプロピルセルロース、ポリビニルイミダゾリン、ポリエチレングリコール、ポリビニルアルコール、ポリヒドロキシエチルメタクリレート、シリコーンコポリマー、スクロースステアレート、ビタミンＥ、パンテノール、アロエ、ポリエチレングリコール、シリコーンオイル、Ｔｅｆｌｏｎ（登録商標）ポリテトラフルオロエチレン粉末（ＤｕＰｏｎｔ製）、メントール、樟脳、オイゲノール、ユーカリプトール、サフロール、及びメチルサリシレート；粘着付与剤（Ｈｅｒｃｕｌｅｓ  Ｒｅｇａｌｒｅｚ  １０９４及び１１２６などの）、シクロデキストリン、皮膚鎮静剤のシクロデキストリンとの包接錯体；抗菌／角質溶解物質（レゾルシノールなどの）；抗炎症剤（キャンデリラワックス及びグリシルレチン酸などの）；収斂剤（硫酸亜鉛などの）；界面活性剤（イコノール（iconol）材料などの）；相溶化剤（スチレン−ｂ−ＥＯコポリマーなどの）；鉱物油、ポリカプロラクトン（ＰＣＬ）、並びにこれらの組み合わせからなる群から選択される剃毛補助部材成分を更に含む。
【００２１】
Ｖ．担体
いくつかの実施形態では、剃毛補助部材は、担体を更に含み、潤滑材料、及び存在する場合、任意の非水溶性マトリクス及び他の材料は、担体中に含有され、かつ／又は担体上に存在する可能性がある。担体は、潤滑材料、及び存在する場合には任意の非水溶性マトリクス又は他の材料がその上に適用されるトレーの形態とすることができ、又は担体は、潤滑材料及び存在する場合には任意の非水溶性マトリクス又は他の材料を、少なくとも部分的に含有する保持構造を形成することができる。いくつかの実施形態では、担体は、例えば担体と皮膚との間で直接接触して又は直接接触せずに皮膚へ剃毛補助剤が分与されるリザーバを形成し、かつ米国特許第６，２９８，５５８号及び同第７，５８１，３１８号で開示されたシースのように形成する。特に、潤滑材料が、剃毛中に溶解するよう意図されているが、一般的に適用可能である流体又は固体を含む場合、担体は、好ましくは、皮膚係合部材の１つ以上の材料の分与を制御するための１つ以上の分与開口部を有するシースである。剃毛補助部材の構成に関するとき、本明細書で定義される重量百分率は、特に指定のない限り、担体ではなく本明細書で開示される剃毛補助部材の他の構成要素に基づいて決定される。
【００２２】
ＶＩ．かみそりカートリッジ
本発明のいくつかの実施形態によれば、除毛カートリッジ（例えば、かみそりカートリッジ又は剃毛ヘッド）が提供され、除毛カートリッジは、上述の本発明により、ハウジングと、ハウジング内の少なくとも１つの除毛部材と、少なくとも１つの剃毛補助部材とを含む。
【００２３】
除毛カートリッジは、通常第１の末端部と第２の末端部との間に位置する１つ以上の細長い刃又は除毛部材（例えば、ブレード）を含み、前記１つ以上の細長い刃は、前記第１の末端部に向かって延在する先端部を含む。例えば、米国特許第７，１６８，１７３号は、Ｔｈｅ  Ｇｉｌｌｅｔｔｅ  Ｃｏｍｐａｎｙから市販されており、複数のブレードを有するかみそりカートリッジを含む、Ｆｕｓｉｏｎ（登録商標）かみそりを概略的に記載する。追加的に、除毛カートリッジ又はかみそりカートリッジは、ガード及び剃毛補助部材を含む場合がある。本発明により、様々なかみそりカートリッジを使用することができる。フィン、ガード、及び／又は剃毛補助剤を有する、及びこれらを有しない好適なかみそりカートリッジの非限定的な例としては、Ｆｕｓｉｏｎ（登録商標）、Ｖｅｎｕｓ（登録商標）の製品ラインでＴｈｅ  Ｇｉｌｌｅｔｔｅ  Ｃｏｍｐａｎｙによって販売されているもの、並びに米国特許第７，１９７，８２５号、同第６，４４９，８４９号、同第６，４４２，８３９号、同第６，３０１，７８５号、同第６，２９８，５５８号、同第６，１６１，２８８号、及び米国特許公開第２００８／０６０２０１号に開示されているものが挙げられる。当業者は、本剃毛補助部材を、２枚、３枚、４枚、５枚、又はそれ以上のブレードを有するものを含む、任意の現在販売されているシステム又は使い捨てかみそりとともに使用することができることを理解するであろう。
【００２４】
細長い刃は、皮膚から毛髪を切断、引き抜き、又は刈り取ることに対応する構造体である。例えば、除毛部材は、１つ以上のブレード、処理する皮膚上に脱毛剤を塗布した後に使用することができるスクレーピングエッジ、又は脱毛（毛髪を毛包から引き抜く）のために使用することができる複数のピンセット部材であってもよい。
【００２５】
いくつかの実施形態では、前記少なくとも１つの剃毛補助部材は、剃毛プロセスの間に皮膚と接触するカートリッジの部分上の、除毛部材の前方、中間、及び／又は後方に位置する。１つ以上の除毛部材の「前方」にある特徴部は、例えば、剃毛装置で処理される表面が除毛部材とあたる前にこの特徴部にあたるように位置する。除毛部材の「後方」にある特徴部は、剃毛装置で処理される表面が除毛部材とあたった後にこの特徴部にあたるように位置する。２つ以上の剃毛補助部材が剃毛装置上に提供される場合、剃毛補助部材は、物理的な形状／構造及び／又は化学組成の点において同じ（同一）とすることも、又は異なるようにすることもでき、かつ剃毛補助部材のうちの１つ以上は、感覚剤を含んでもよい。
【００２６】
いくつかの実施形態では、カートリッジは、ユーザの皮膚を係合するための少なくとも１つの細長い可撓性突出部を有する備えるガードを含む。少なくとも１つの可撓性突出部は、前記１つ以上の細長い刃（除毛部材）に対して概して平行な可撓性フィンを有する場合がある。前記少なくとも１つの可撓性突出部は、前記１つ以上の細長い刃に対して概して平行ではない少なくとも１つの部分を含む可撓性フィンを、追加的に又は代替的に含む場合がある。好適なガードの非限定的な例としては、現在のかみそりブレードに使用されるものが挙げられ、米国特許第７，６０７，２３０号及び同第７，０２４，７７６号（エラストマー性／可撓性フィンバーを開示）、同第２００８／００３４５９０号（湾曲したガードフィンを開示）、同第２００９／００４９６９５Ａ１号（上面と下面との間に延在する少なくとも１つの通路を形成するガードを有するエラストマー性ガードを開示）に開示されるものが挙げられる。いくつかの実施形態では、前記剃毛補助部材は、カートリッジ上でガードの後方及び除毛部材の前方に位置する。別の実施形態では、除毛部材は、カートリッジ上のガードの前方に位置する。この実施形態は、ガードと接触する前に潤滑材料を供給するのに特に有用である可能性がある。
【００２７】
ＶＩＩ．除毛装置
本発明いくつかの実施形態によれば、除毛装置（例えば、かみそり）が提供され、これは一般的に、上述する本発明による除毛カートリッジ（例えば、かみそりカートリッジ）と、カートリッジに永久的に又は着脱可能に取り付けられるハンドル（又は把持部）と、を備える。除毛装置は、手動又は電動とすることができ、湿式及び／又は乾燥用途で用いることができる。除毛カートリッジは、交換可能及び／又は枢動可能にハンドル（例えば、カートリッジ接続構造体を介して）に接続され、そして順番に又は独立して（例えば、永久的に固定して）ハンドルに接続される。いくつかの実施形態では、カートリッジ接続構造体は、除毛カートリッジを解除可能に係合するために少なくとも１つのアームを含む。
【００２８】
ＶＩＩＩ．製造方法
本発明の剃毛補助部材のいずれかは、射出成形、プレス、含浸、スプレーコーティング、カレンダー処理、及び押出成形などを含む任意の適切な方法で製作される場合があるが、後者が好ましい。ストリップの構成成分のすべては、成形又は押出成形の前に配合することができる。最良の結果を得るためには、構成成分が乾燥していることが好ましい。要約すると、方法は、少なくとも５０００の平均分子量を有する水溶性ポリマーと、ポリエチレンオキシドとポリプロピレンオキシドとのコポリマーとを含む供給物を提供する工程と、好ましくは、前記供給物を、１２０℃〜２００℃の温度に加熱する工程と、前記供給物を、成形、プレス、含浸、スプレーコーティング、カレンダー処理、及び／又は押出成形して、剃毛補助部材を形成する工程と、を含む。
【００２９】
例えば、配合した構成成分は、バレル圧が約７〜１４ＭＰａ（１０００〜２０００ｐｓｉ）、ローター速度が約１０〜５０ｒｐｍ、並びに温度が約１５０℃〜１８５℃、及びダイ温度が約１７０℃〜１８５℃の直径１．９センチメートル（３／４インチ）の押出成形機、Ｈａａｋｅシステム９０と、を通して押出成形される場合がある。あるいは、３．１８ｃｍ（１  １／４インチ）の１軸スクリュー押出成形機を、プロセス温度が１７５℃〜２００℃、好ましくは１８５℃〜１９０℃、スクリュー速度が２０〜５０ｒｐｍ、好ましくは２５〜３５ｒｐｍ、及び押出成形圧が１２〜３４ＭＰａ（１８００〜５０００ｐｓｉ）、好ましくは１４〜２４ＭＰａ（２０００〜３５００ｐｓｉ）で採用してもよい。押出成形されたストリップは、約２５℃まで空冷される。ストリップを射出成形するために、最初に粉末配合物をペレット内に押出成形することが好ましい。これは、３．２又は３．８センチメートル（１  １／４又は１  １／２インチ）の１軸スクリュー押出成形機で、温度が１２０℃〜１８０℃、好ましくは１４０℃〜１５０℃、スクリュー速度が２０〜１００ｒｐｍ、好ましくは４５〜７０ｒｐｍで実施することができる。次いで、ペレットは、所望によりホットランナーシステムを装備する、シングルキャビティ又はマルチキャビティであってもよい、単一材料成形機又は多材料成形機のいずれかで成形される。プロセス温度は、１６５℃〜２５０℃、好ましくは、１８０℃〜２２５℃であってよい。射出圧は、バリを作らずに部品を完全に充填するのに十分なものであるべきである。キャビティのサイズ、構成、及び数に応じて、射出圧は、２〜１７ＭＰａ（３００〜２５００ｐｓｉ）の範囲であってよい。サイクル時間は、同じパラメータに応じて、３〜３０秒、最適には通常約６〜１５秒の範囲であってよい。
【００３０】
ＩＸ．図の詳細
図１及び図２を参照すると、かみそりカートリッジ１４はハウジング１６を含み、これは、３つのブレード１８と、フィン付きエラストマーガード２０と、カートリッジの皮膚係合部分（この場合はキャップ）上に配置された剃毛補助部材２２と、を含む。剃毛補助部材２２は２つの層を有するように示され、第１の層は本発明によりであってよく、第２の層は、従来の剃毛補助剤であってよく、又はその逆であってよい。剃毛補助部材は、カートリッジ後部の開口部の中に（例えば、接着剤、取付具、又は溶融結合により）好ましくは固定される。図３に示す剃毛補助部材３２は、剃毛補助部材３２が全体を通して均質な組成物、及び均一でわずかに湾曲した平坦な上面を有すること以外は、剃毛補助部材２２と同様である。本発明による剃毛補助部材は、楔形状断面、又は任意の他の所望する形状で製作される場合もある。剃毛補助部材は、サンドイッチ又はシース／コア構成などの、２つ以上の層で構築されてもよい。
【００３１】
Ｘ．除毛の方法（特に剃毛）
本発明の除毛カートリッジ（特にかみそりカートリッジ）、又は除毛装置（特にかみそり）は、除毛（特に剃毛）のために、又は除毛（特に剃毛）の方法で使用される場合があり、この方法は、本発明による、任意の形態の除毛カートリッジ（特にかみそりカートリッジ）又は除毛装置（特にかみそり）を提供する工程と、これを身体の表面上で通過させる工程と、を含む。所望による追加的な工程として、表面を湿らせる工程と、表面を洗浄する工程と、様々な一般的に既知の剃毛剤のうちの１つを表面に塗布する工程と（前述の選択肢は、典型的には、除毛／かみそりカートリッジ又は除毛装置／かみそりを表面上を通過させる前に行われる）、表面をすすぐ工程（これは、除毛／かみそりカートリッジ又は除毛装置／かみそりを表面上を通過させる前及び／又は後に行われる）と、表面を乾燥させる工程と、様々な一般的に既知の剃毛後組成物のうちの１つを表面に塗布する工程（最後の２つの工程は、典型的には、除毛／かみそりカートリッジ又は除毛装置／かみそりを表面上を通過させた後に行われる）と、を含んでもよい。
【実施例】
【００３２】
以下の実施例は、下記の表によって、以下の方法を用いて実施することができる。成分を、タンブラー内で他の成分と配合及び混合して、均質な粉末を作製した。次いで、得られた粉末は、１６０℃〜１８０℃及び１００〜２００ｂａｒの圧力で剃毛補助部材へと単一押出成形される。
【００３３】
【表１】
0006353102.tif 000002
*  ５，０００，０００の平均分子量
**  ３００，０００の平均分子量
***  耐衝撃性ポリスチレン
【００３４】
上記の実施例の剃毛補助部材（物理的に同一）のそれぞれを取り付けた一般的なかみそりカートリッジの摩擦係数（測定間で一貫した設計）を、７．５ｃｍ（３インチ）×１７ｃｍ（６．５インチ）の寸法を有するポリウレタン皮膚模倣体に対して、２０００ｇ／ｃｍ2水平ロードセルと適合したＤｉａ−ｓｔｒｏｎ  ＭＴＴ１７５測定器上で測定した。皮膚模倣体は、２７℃の温度まで温められ、下向きに３００ｇの力（質量と同等）がかけられた。かみそりカートリッジ（剃毛補助部材を含む）は、５５℃の温度の水に浸され、１ｍＬの水（これも５５℃に温められた）が、測定の前に湿らせるために皮膚模倣体に適用された。Ｄｉａ−ｓｔｒｏｎ測定器とともに供給されたＵｖＷｉｎソフトウェアパッケージ（ｖ．１．２４．００００）を使用して、かみそりカートリッジを用いた、３回重なり合う、続いて１００ｍｍ長さのストロークを１５００ｍｍ／分の速さで実行し、かみそりカートリッジがストロークとストロークとの間で移動するときに決して皮膚模倣体に接触しないようにした。３回のストロークに続いて、皮膚模倣体を装置から取り外し、高温の水で洗浄し、手でこすって清浄にし、紙タオルで拭い、再度すすいだ後、次の試料のために装置に再設置した。摩擦係数は、ストロークの中間部の７０ｍｍの長さ（すなわち、ストロークに沿って１５ｍｍからストロークに沿って８５ｍｍまで）に基づいて、それぞれのストロークに対して算出された。
【００３５】
各実施例に対して、合計５つの剃毛補助部材から結果を得るために、この手順が繰り返された。３つのストロークのそれぞれに対する結果（５つの剃毛補助部材の平均）が下記のグラフに示される。
【００３６】
【表２】
0006353102.tif 000003
【００３７】
データは、ポリエチレンオキシドとポリプロピレンオキシドとのコポリマーの添加が、試験された実施例によって提供される摩擦係数を低減することを示す。
【００３８】
本明細書で使用される場合、分子量（ｍｏｌ．ｗｔ．ｓ）は、統一原子質量単位、ダルトン、又はｇ／ｍｏｌで提供される。
【００３９】
本明細書を通して与えられるあらゆる最大の数値限界は、あらゆるそれよりも小さい数値限界を、あたかもそのようなより小さい数値限界が本明細書に明示的に記載されているかのように含むことを理解すべきである。本明細書を通して与えられるあらゆる最小数値限界は、あらゆるそれよりも大きい数値限界を、あたかもそのようなより大きい数値限界が本明細書に明示的に記載されているかのように含む。本明細書を通して与えられるあらゆる数値範囲は、そのようなより広い数値範囲内にあるあらゆるより狭い数値範囲を、あたかもそのようなより狭い数値範囲が本明細書にすべて明示的に記載されているかのように含む。同様に、本発明のそれぞれの特定の実施形態のそれぞれの特徴は、それぞれの他の特定の実施形態に、あたかもそのようなすべての組み合わせが、これらの組み合わせが具体的に除外されているか、又は関連する特徴が本質的に不適合（例えば、特徴が正反対）でない限り、本明細書に明示的に記載されているかのように独立して適応されてもよいことを理解するべきである。
【００４０】
本書の明細書、実施例、及び特許請求の範囲におけるすべての部、比、及び百分率は、特に指定のない限り、剃毛補助部材の重量基準であり、すべての数値限定は、当該分野により提供される通常の程度の精度で使用される。
【００４１】
本明細書に開示した寸法及び値が、記載された正確な数値に厳密に限定されるものと理解するべきではない。むしろ、特に指定のない限り、それぞれのそのような寸法は、記載された値と、その値の周辺の機能的に同等の範囲の両方を意味することを意図する。例えば、「４０ｍｍ」と開示された寸法は、「約４０ｍｍ」を意味することを意図する。
【００４２】
「発明を実施するための形態」で引用されたすべての文献は、その関連部分において、参照により本明細書に組み込まれ、いずれの文献の引用も、こうした引用が本発明の先行技術であることを容認すると解釈すべきではない。この文書における用語のいずれかの意味又は定義が、参照によって組み込まれる文書におけるいずれかの意味又は定義と対立する限りにおいて、本文書においてその用語に与えられた意味又は定義を優先するものとする。特に記載のない限り、冠詞「ａ」、「ａｎ」、及び「ｔｈｅ」は、「１つ以上」を意味する。
【００４３】
本発明の特定の実施形態が例示され記載されてきたが、本発明の趣旨及び範囲から逸脱することなく他の様々な変更及び修正をなすことができることが当業者には自明であろう。したがって、本発明の趣旨及び範囲内にあるすべてのそのような変更及び修正を添付の特許請求の範囲に包含することが意図される。
【図１】
0006353102.tif 000004
【図２】
0006353102.tif 000005
【図３】
0006353102.tif 000006